(57)【特許請求の範囲】
【請求項１】
開口部を構成する縦枠に縦枠アタッチメントを取り付け、蝶番を介して開き体を前記縦枠アタッチメントに開閉可能に取り付けてなる建具であって、
前記蝶番の羽根を接続する前記縦枠アタッチメントの蝶番接続部を補強する補強構造を備え、
前記補強構造が、前記縦枠と前記縦枠アタッチメントの間の中空部において前記縦枠に接続される係合部と、前記中空部において前記縦枠アタッチメントの蝶番接続部に重なるように配設される補強部とを有する補強部材を備えて構成されており、
前記補強構造が、前記縦枠の所定位置に取り付けられ、
前記縦枠に、前記補強部材の前記係合部に係合する係合受け部材が設けられ、
前記係合受け部材は、前記縦枠に固着される固定部と、該固定部に段部を介して繋がり前記縦枠との間に所定の間隔をあけて配設される係合受け部と、を備え、
前記補強部材の前記係合部と、前記係合受け部材の前記係合受け部と、が係合されていることを特徴とする建具。
【請求項２】
請求項１に記載の建具において、
前記補強部材が、前記係合部及び前記補強部を前記中空部に挿入した状態で所定位置に配置するための柄部を備えている建具。
【請求項３】
開口部を構成する縦枠に縦枠アタッチメントを取り付け、蝶番を介して開き体を前記縦枠アタッチメントに開閉可能に取り付けてなる建具の補強方法であって、
補強部材が、前記縦枠と前記縦枠アタッチメントの間の中空部において前記縦枠に接続される係合部と、前記中空部において前記縦枠アタッチメントの蝶番接続部に重なるように配設される補強部と、を備え、
前記縦枠に、前記補強部材の前記係合部に係合する係合受け部材が設けられ、
前記係合受け部材は、前記縦枠に固着される固定部と、該固定部に段部を介して繋がり前記縦枠との間に所定の間隔をあけて配設される係合受け部と、を備え、
枠体の上枠を固定する前に、前記縦枠と前記縦枠アタッチメントの間の中空部に上下方向から前記補強部材を挿入するとともに前記補強部材の前記係合部を前記係合受け部材の前記係合受け部に係合させ、且つ前記補強部材の前記補強部を前記縦枠アタッチメントの前記蝶番接続部に重なるように配設して、前記補強部材を設置する工程を備えることを特徴とする建具の補強方法。
【発明の詳細な説明】
【技術分野】
【０００１】
本発明は、建具及び建具の補強方法に関し、特に、縦枠に縦枠アタッチメントを取り付け、この縦枠アタッチメントに開き体を蝶番を介して取り付けてなる建具及び建具の補強方法に関する。
【背景技術】
【０００２】
従来、開口部を構成する縦枠（方立）に縦枠アタッチメントを取り付け、縦枠アタッチメントにドアや開き窓等の開き体を蝶番を介して取り付けるように構成した建具が多用されている。
【０００３】
また、この種の建具には、蝶番の羽根をネジで縦枠アタッチメントに取り付ける部分の取付強度を確保するため、縦枠アタッチメントの内面（裏面）に裏板を配置し、この裏板に縦枠アタッチメント側からネジを捩じ込んで固定するようにしたものがある。
【０００４】
一方、開き体に子供がぶら下がったり、開き体が突風に煽られるなどして開き体に大きな外力が加わると、蝶番を固定しているネジを介して縦枠アタッチメントの裏板に大きな力が作用する。
【０００５】
これに対し、特許文献１には、縦枠の外面（表面）に裏板をネジで固定し、縦枠の外面に裏板を挟んで縦枠アタッチメントを固定し、開き体の側部に蝶番の一方の羽根を固定し、蝶番の他方の羽根を固着具により縦枠アタッチメントを介して裏板に固定するように構成した建具が開示されている。
【０００６】
この建具においては、開き体に大きな外力が作用した際にこの力が蝶番を固定するビスから裏板を通じて縦枠に直接的に伝わって、縦枠で受け止められる。これにより、縦枠アタッチメントに応力が集中することがなく、縦枠アタッチメントに変形等を生じにくくすることができる。
【先行技術文献】
【特許文献】
【０００７】
【特許文献１】特開平１０−３１７７７３号公報
【発明の概要】
【発明が解決しようとする課題】
【０００８】
しかしながら、上記の特許文献１に開示された建具においては、例えば予め縦枠が施工済みのカーテンウォールの開口部などに開き体を設置する場合、縦枠に先付けした裏板が干渉しないように取り回して縦枠アタッチメントを建て込むことが必要になり、また、裏板が障害になって、縦枠アタッチメントの建て込み作業が困難になる。
【０００９】
本発明は、上記事情に鑑み、作業性を向上させつつ好適に縦枠アタッチメントを補強することを可能にする建具及び建具の補強方法を提供することを目的とする。
【課題を解決するための手段】
【００１０】
上記の目的を達するために、この発明は以下の手段を提供している。
【００１１】
本発明の建具は、開口部を構成する縦枠に縦枠アタッチメントを取り付け、蝶番を介して開き体を前記縦枠アタッチメントに開閉可能に取り付けてなる建具であって、前記蝶番の羽根を接続する前記縦枠アタッチメントの蝶番接続部を補強する補強構造を備え、前記補強構造が、前記縦枠と前記縦枠アタッチメントの間の中空部において前記縦枠に接続される係合部と、前記中空部において前記縦枠アタッチメントの蝶番接続部に重なるように配設される補強部とを有する補強部材を備えて構成されており、前記補強構造が、前記縦枠の所定位置に取り付けられ、前記縦枠に、前記補強部材の前記係合部に係合する係合受け部材が設けられ、前記係合受け部材は、前記縦枠に固着される固定部と、該固定部に段部を介して繋がり前記縦枠との間に所定の間隔をあけて配設される係合受け部と、を備え、前記補強部材の前記係合部と、前記係合受け部材の前記係合受け部と、が係合されていることを特徴とする。
【００１２】
本発明の建具の補強方法は、開口部を構成する縦枠に縦枠アタッチメントを取り付け、蝶番を介して開き体を前記縦枠アタッチメントに開閉可能に取り付けてなる建具の補強方法であって、補強部材が、前記縦枠と前記縦枠アタッチメントの間の中空部において前記縦枠に接続される係合部と、前記中空部において前記縦枠アタッチメントの蝶番接続部に重なるように配設される補強部と、を備え、前記縦枠に、前記補強部材の前記係合部に係合する係合受け部材が設けられ、前記係合受け部材は、前記縦枠に固着される固定部と、該固定部に段部を介して繋がり前記縦枠との間に所定の間隔をあけて配設される係合受け部と、を備え、枠体の上枠を固定する前に、前記縦枠と前記縦枠アタッチメントの間の中空部に上下方向から前記補強部材を挿入するとともに前記補強部材の前記係合部を前記係合受け部材の前記係合受け部に係合させ、且つ前記補強部材の前記補強部を前記縦枠アタッチメントの前記蝶番接続部に重なるように配設して、前記補強部材を設置する工程を備えることを特徴とする。
【００１３】
これらの発明においては、縦枠に縦枠アタッチメントを取り付けた後に、縦枠と縦枠アタッチメントの間の中空部に上下方向から補強部材を挿入することにより、補強部材の係合部を係合させて縦枠に接続し、補強部を縦枠アタッチメントの蝶番接続部に重なるように配設することができる。
【００１４】
これにより、補強部材の補強部によって縦枠アタッチメントの蝶番接続部を補強することができるとともに、開き体から縦枠アタッチメントの蝶番接続部に大きな外力が作用した際に、蝶番、補強部材の補強部、係合部を通じて縦枠に力を伝えることができる。よって、従来のように縦枠アタッチメントの建て込み作業が煩雑／困難になることなく、好適に縦枠アタッチメントの蝶番接続部に補強を施すことが可能になる。
【００１６】
さらに、例えば縦枠アタッチメントの取り付け前に縦枠の所定位置に係合受け部材を取り付け、縦枠と縦枠アタッチメントの間の中空部に補強部材を挿入するとともに補強部材の係合部を係合受け部材に係合させることによって、係合受け部材を介して縦枠に係合部を接続することが可能になる。
【００１７】
さらに、本発明の建具においては、前記補強部材が、前記係合部及び前記補強部を前記中空部に挿入した状態で所定位置に配置するための柄部を備えていることがより望ましい。
【００１８】
この発明においては、縦枠と縦枠アタッチメントの間の中空部に補強部材を挿入するようにした場合であっても、作業者が柄部を手で持ちながら挿入作業を行うことで、容易に中空部の内側にある所定位置（蝶番接続部がある位置）に係合部、補強部を配設することが可能になる。
【発明の効果】
【００１９】
本発明の建具においては、作業性を向上させつつ好適に縦枠アタッチメントを補強することが可能になる。
【図面の簡単な説明】
【００２０】
【図１】本発明の一実施形態に係る建具、該建具の補強構造を示す横断面図である。
【図２】本発明の一実施形態に係る建具を示す縦断面図である。
【図３】本発明の一実施形態に係る建具の補強構造の係合受け部材を縦枠に取り付けた状態を示す斜視図である。
【図４】本発明の一実施形態に係る建具の補強構造の補強部材を示すとともに、補強部材を縦枠と縦枠アタッチメントの間の中空部に上方から挿入する状態を示す斜視図である。
【発明を実施するための形態】
【００２１】
以下、図１から図４を参照し、本発明の一実施形態に係る建具及び建具の補強方法について説明する。
【００２２】
本実施形態の建具Ａは、例えばカーテンウォールの開口部（建物１階に設置される扉用のカーテンウォールの開口部）などに設置される框ドア（框戸／框窓扉）であり、図１及び図２に示すように、開口部１の外周に設置される枠体２と、枠体２に開閉可能に支持される障子（開き体）３とを備えて構成されている。なお、図１は枠体２と障子３の左右一方側のみを示す横断面図である。
【００２３】
障子３は、一対の縦框（縦桟）４ａ、上框（上桟）４ｂ、下框（下桟）４ｃの框４及び面材５からなり、蝶番６を介して一方の縦框４ａを枠体２に接続することにより、上下方向Ｔ１に延びる回動軸Ｏ１周りに回動自在に、且つ開口部１を開閉可能に設けられている。
【００２４】
枠体（例えば方立）２は、一対の縦枠２ａ、上枠２ｂ、下枠２ｃを方形状の開口部１の周端にそれぞれ配設して構成されている。
【００２５】
また、本実施形態の建具Ａにおいては、図１に示すように、例えば押出成形によって断面略コ字状に形成された縦枠アタッチメント７が、側面の開口を一方の縦枠２ａの外面（表面）に向けるように配設しつつ、ネジ止め（ビス止め）するなどして一方の縦枠２ａに一体に接続して設けられている。この縦枠アタッチメント７は、一方の縦枠２ａに沿って上下方向Ｔ１に延設されている。なお、本実施形態では縦枠アタッチメント７と縦枠２ａをネジ止めした接続部を被覆して意匠性を高めるためのカバー部材（化粧材）１４が取り付けられている。
【００２６】
そして、蝶番６の一方の羽根６ａを障子３の一方の縦框４ａにネジ止めして固定し、他方の羽根６ｂを縦枠アタッチメント７にネジ止めして固定することによって、障子３が枠体２に蝶番６及び縦枠アタッチメント７を介して回動可能に接続されている。
【００２７】
さらに、本実施形態の建具Ａにおいては、障子３を縦枠アタッチメント７に回動可能に接続する部分（縦枠アタッチメント７の蝶番接続部８）に補強構造９が具備されている。
【００２８】
本実施形態の補強構造９は、図１、図３、図４に示すように、枠体２の一方の縦枠２ａにネジ止めするなどして一体に取り付けられる係合受け部材１０と、一方の縦枠２ａと縦枠アタッチメント７の間の中空部１１に上方（上下方向Ｔ１）から挿入して縦枠アタッチメント７の蝶番接続部８を補強するための補強部材１２とを備えて構成されている。
【００２９】
係合受け部材１０は、図１及び図３に示すように、枠体２の一方の縦枠２ａの外面にネジ止めして固着される固定部１０ａと、固定部１０ａに段部１０ｂを介して繋がり、一方の縦枠２ａの外面との間に所定の隙間をあけて配設される係合受け部１０ｃとを備えて形成されている。
【００３０】
補強部材１２は、図１及び図４に示すように、断面略コ字状に形成された本体部１２ａと、本体部１２ａの上端から上方に延設された柄部１２ｇとを備えて形成されている。本体部１２ａは、一側面を形成し、縦枠アタッチメント７の蝶番接続部８の内面（裏面）に重なるように配されて蝶番接続部８を補強するための補強部１２ｂと、一側面と反対側の他側面を形成し、係合受け部材１０の係合受け部１０ｃに係合して縦枠２ａに接続される係合部１２ｃと、補強部１２ｂと係合部１２ｃを繋ぐ連結部１２ｄとを備えて断面略コ字状に形成されている。
【００３１】
また、本実施形態では、補強部材１２の連結部１２ｄに突部１２ｅが一体に設けられている。これにより、本実施形態の補強部材１２には突部１２ｅと係合部１２ｃの間に係合溝１２ｆが形成されている。さらに、本実施形態では、補強部１２ｂの外面に縦枠アタッチメント７の内面に密着して蝶番接続部８の止水性（や気密性など）を確保するための例えばブチルシート／テープなどの止水材１３が設けられている。
【００３２】
上記構成からなる本実施形態の建具Ａを補強部材１２によって補強する際には（本実施形態の建具の補強方法においては）、まず、枠体２の縦枠２ａに縦枠アタッチメント７を取り付ける前に、固定部１０ａを縦枠２ａの外面側に固定して係合受け部材１０を縦枠２ａに取り付ける。このとき、本実施形態では、固定部１０ａの端部側（係合受け部材１０の一端部側）を縦枠２ａに設けられた係止爪２ｄに係止させて係合受け部材１０を取り付ける。
【００３３】
次に、縦枠アタッチメント７を縦枠２ａに取り付け、縦枠２ａと縦枠アタッチメント７の間の中空部１１に上方（上下方向Ｔ１）から補強部材１２を挿入し、補強部材１２の突部１２ｅと係合部１２ｃの間の係合溝１２ｆに係合受け部材１０を係合させ、補強部材１２の係合部１２ｃを係合受け部材１０に係合させる。
【００３４】
なお、縦枠２ａと縦枠アタッチメント７の間の中空部１１に上方から補強部材１２を挿入設置するため、枠体２の上枠を固定する前に補強部材１２を設置し、補強部材１２を取り付けた段階で上枠を固定する。
【００３５】
次に、本実施形態では、蝶番６の他方の羽根６ｂをネジ止めするとともに、このネジ止めによって縦枠アタッチメント７の蝶番接続部８の内面に補強部材１２の補強部１２ｂを固着する。
【００３６】
したがって、本実施形態の建具Ａ及び建具の補強方法においては、枠体２の縦枠２ａに縦枠アタッチメント７を取り付けた後に、縦枠２ａと縦枠アタッチメント７の間の中空部１１に上方（上下方向Ｔ１）から補強部材１２を挿入し、補強部材１２の突部１２ｅと係合部１２ｃの間の係合溝１２ｆに係合受け部材１０を係合させ、補強部材１２の係合部１２ｃを係合受け部材１０に係合させることにより、係合受け部材１０を介して補強部材１２の係合部１２ｃを縦枠２ａに接続することができる。
【００３７】
また、縦枠２ａと縦枠アタッチメント７の間の中空部１１に上方から補強部材１２を挿入するとともに、補強部１２ｂを縦枠アタッチメント７の蝶番接続部８に重なるように配設することができる。そして、蝶番６の他方の羽根６ｂをネジ止めする際にこのネジ止めによって縦枠アタッチメント７の蝶番接続部８の内面に補強部１２ｂを固着することができる。
【００３８】
これにより、補強部材１２の補強部１２ｂによって縦枠アタッチメント７の蝶番接続部８を補強することができるとともに、障子３から縦枠アタッチメント７の蝶番接続部８に大きな外力が作用した際に、蝶番６、補強部材１２の補強部１２ｂ、連結部１２ｄ、係合部１２ｃを通じて枠体２の縦枠２ａに力を伝えることができる。
【００３９】
よって、本実施形態の建具Ａ（補強構造９）及び建具の補強方法によれば、従来のように縦枠アタッチメント７の建て込み作業が煩雑／困難になることなく、好適に縦枠アタッチメント７の蝶番接続部８に補強を施すことが可能になる。
【００４０】
また、縦枠アタッチメント７の取り付け前に縦枠２ａの所定位置に係合受け部材１０を取り付け、縦枠２ａと縦枠アタッチメント７の間の中空部１１に補強部材１２を挿入するとともに補強部材１２の係合部１２ｃを係合受け部材１０に係合させるように構成することで、係合受け部材１０を介して縦枠２ａに係合部１２ｃを容易に接続することが可能になる。
【００４１】
さらに、本実施形態の建具Ａにおいては、補強部材１２が、作業者が手で持ち、係合部１２ｃ及び補強部１２ｂを中空部１１に挿入して所定位置に配置するための柄部１２ｇを備えている。これにより、縦枠２ａと縦枠アタッチメント７の間の中空部１１に補強部材１２を挿入するようにした場合であっても、作業者が柄部１２ｇを手で持ちながら挿入作業を行うことで、容易に中空部１１の内側にある所定位置（蝶番接続部８がある位置）に係合部１２ｃ、補強部１２ｂを配設することができる。
【００４２】
以上、本発明に係る建具及び建具の補強方法の一実施形態について説明したが、本発明は上記の一実施形態に限定されるものではなく、その趣旨を逸脱しない範囲で適宜変更可能である。
【００４３】
例えば、本実施形態では、補強部材１２の係合部１２ｃが係合受け部材１０に係合し、この係合受け部材１０を介して縦枠２ａに接続されるものとしたが、縦枠２ａに直接的に係合部１２ｃが係合して接続するように構成してもよい。
【００４４】
また、図１、図３、図４では、補強部材１２を上方から中空部１１に挿入して一つの蝶番接続部８を補強するように図示した。これに対し、複数の蝶番接続部８を一つの補強部材１２で補強するように構成してもよい。さらに、下方から中空部１１に補強部材１２を挿入して蝶番接続部８を補強するように構成してもよい。
【００４５】
また、本実施形態では、蝶番接続部８に重なるように配設された補強部材１２の補強部１２ｂを蝶番６の羽根６ｂのネジ止めとともに縦枠アタッチメント７に固着して蝶番接続部８を補強するものとした。これに対し、蝶番接続部８に重なるように補強部材１２の補強部１２ｂを配設することによって補強を施すことが可能であれば、必ずしも補強部１２ｂを縦枠アタッチメント７に固着しなくてもよい。また、補強部１２ｂを縦枠アタッチメント７に固着する場合においても、蝶番６の羽根６ｂのネジ止め以外の手段によって固着するように構成してもよい。
【符号の説明】
【００４６】
１      開口部
２      枠体
２ａ    縦枠
２ｂ    上枠
２ｃ    下枠
２ｄ    係止爪
３      障子（開き体）
４      框
４ａ    縦框
４ｂ    上框
４ｃ    下框
５      面材
６      蝶番
６ａ    一方の羽根
６ｂ    他方の羽根
７      縦枠アタッチメント
８      蝶番接続部
９      補強構造
１０    係合受け部材
１０ａ  固定部
１０ｂ  段部
１０ｃ  係合受け部
１１    中空部
１２    補強部材
１２ａ  本体部
１２ｂ  補強部
１２ｃ  係合部
１２ｄ  連結部
１２ｅ  突部
１２ｆ  係合溝
１２ｇ  柄部
１３    止水材
１４    カバー部材（化粧材）
Ａ      建具
Ｏ１    回動軸
Ｔ１    上下方向
【図１】
0006534901.tif 000002
【図２】
0006534901.tif 000003
【図３】
0006534901.tif 000004
【図４】
0006534901.tif 000005